(57)【要約】基地局の集中型ユニットおよび分散型ユニットが、相互に動作可能に協働するための方法およびシステムが、開示される。一実施形態では、第１の通信ノードによって実施される方法は、第３の無線通信ノードを無線リソース制御非アクティブ化モードに切り替えることの決定に応じて、第１のメッセージを第２の無線通信ノードに送信するステップを含む。第１および第２の無線通信ノードは、協働して、無線ネットワーク内の第１の基地局としての役割を果たす。【特許請求の範囲】
【請求項１】
第１の無線通信ノードによって実施される方法であって、
第３の無線通信ノードを無線リソース制御非アクティブモードに切り替えることの決定に応じて、前記第１の無線通信ノードによって、第１のメッセージを第２の無線通信ノードに送信すること
を含み、
前記第１および第２の無線通信ノードは、協働し、無線ネットワーク内の第１の基地局としての役割を果たす、方法。
【請求項２】
前記第１の無線通信ノードは、前記第１の基地局の集中型ユニットであり、前記第２の無線通信ノードは、前記第１の基地局の分散型ユニットである、請求項１に記載の方法。
【請求項３】
前記第１のメッセージは、以下の情報、すなわち、
一時停止信号を含む第１のエンコードされたコンテナ、前記第２の無線通信ノード内に記憶された前記第３の無線通信ノードのコンテキストを削除することを示すフラグ信号、前記第２の無線通信ノードが前記第３の無線通信ノードに割り当てたセル無線ネットワーク一時識別子、前記第２の無線通信ノードが前記第３の無線通信ノードに割り当てた前記第１の無線通信ノードと第２の無線通信ノードとの間のＦ１インターフェース上の第１のアプリケーション識別子、前記第１の無線通信ノードが前記第３の無線通信ノードに割り当てた前記第１の無線通信ノードと第２の無線通信ノードとの間のＦ１インターフェース上の第２のアプリケーション識別子、およびシグナリング無線ベアラタイプ
のうちの少なくとも１つを含む、請求項１に記載の方法。
【請求項４】
前記第２の無線通信ノードは、前記第１のエンコードされたコンテナを前記第３の無線通信ノードに通過させ、前記第３の無線通信ノードが、それ自体を前記無線リソース制御非アクティブモードに切り替えるように、前記一時停止信号を前記第１のエンコードされたコンテナから読み出すように構成される、請求項３に記載の方法。
【請求項５】
前記第３の無線通信ノードが、前記無線リソース制御非アクティブモードに切り替わると、前記第１の無線通信ノードによって、前記第２の無線通信ノードから、前記第３の無線通信ノードが、前記第２の無線通信ノードに、個別のランダムアクセスネットワーク通知エリアを更新することを要求する無線リソース制御メッセージを送信したことを示す第２のメッセージを受信することをさらに含む、請求項１に記載の方法。
【請求項６】
前記第２のメッセージは、以下の情報、すなわち、
前記無線リソース制御メッセージを含む第２のエンコードされたコンテナ、前記第２の無線通信ノードが前記第３の無線通信ノードに割り当てたセル無線ネットワーク一時識別子、前記第２の無線通信ノードが前記第３の無線通信ノードに割り当てた前記第１の無線通信ノードと第２の無線通信ノードとの間のＦ１インターフェース上の第１のアプリケーション識別子、およびシグナリング無線ベアラタイプ
のうちの少なくとも１つを含む、請求項５に記載の方法。
【請求項７】
前記無線リソース制御信号を前記第２のエンコードされたコンテナから読み出すことと、
前記無線リソース制御信号を正常にデコードすることに応答して、第３のメッセージを前記第２の無線通信ノードに送信することと
をさらに含み、
前記第３のメッセージは、以下の情報、すなわち、
エリア更新確認応答無線リソース制御メッセージを含む第３のエンコードされたコンテナ、前記第２の無線通信ノードが前記第３の無線通信ノードに割り当てたセル無線ネットワーク一時識別子、前記第２の無線通信ノードが前記第３の無線通信ノードに割り当てた前記第１の無線通信ノードと第２の無線通信ノードとの間のＦ１インターフェース上の第１のアプリケーション識別子、前記第２の無線通信ノード内に記憶された前記第３の無線通信ノードのコンテキストを削除することを示すフラグ信号、および前記第１の無線通信ノードが前記第３の無線通信ノードに割り当てた前記第１の無線通信ノードと第２の無線通信ノードとの間のＦ１インターフェース上の第２のアプリケーション識別子
のうちの少なくとも１つを含む、請求項６に記載の方法。
【請求項８】
前記第２の無線通信ノードは、前記第３のエンコードされたコンテナを前記第３の無線通信ノードに通過させ、前記第３の無線通信ノードが、前記エリア更新確認応答無線リソース制御メッセージを前記第３のエンコードされたコンテナから読み出すように構成される、請求項７に記載の方法。
【請求項９】
前記無線リソース制御信号を正常にデコードしないとき、第４のメッセージを前記第２の無線通信ノードに送信すること
をさらに含み、
前記第４のメッセージは、以下の情報、すなわち、
無線リソース制御解放メッセージを含む第４のエンコードされたコンテナ、前記第２の無線通信ノードが前記第３の無線通信ノードに割り当てたセル無線ネットワーク一時識別子、前記第２の無線通信ノードが前記第３の無線通信ノードに割り当てた前記第１の無線通信ノードと第２の無線通信ノードとの間のＦ１インターフェース上の第１のアプリケーション識別子、前記第２の無線通信ノード内に記憶された前記第３の無線通信ノードのコンテキストを削除することを示すフラグ信号、および前記第１の無線通信ノードが前記第３の無線通信ノードに割り当てた前記第１の無線通信ノードと第２の無線通信ノードとの間のＦ１インターフェース上の第２のアプリケーション識別子
のうちの少なくとも１つを含む、請求項７に記載の方法。
【請求項１０】
前記第３の無線通信ノードが、前記無線リソース制御非アクティブモードに切り替わると、前記第１の無線通信ノードによって、ランダムアクセスネットワーク通知更新メッセージを第４の無線通信ノードから受信すること
をさらに含み、
前記ランダムアクセスネットワーク通知更新メッセージは、前記第３の無線通信によって第５の無線通信ノードに送信される個別のランダムアクセスネットワーク通知エリアを更新することを要求する無線リソース制御メッセージに基づいて生成され、
前記第４の無線通信ノードは、前記無線ネットワーク内にあるが、前記第１の基地局と異なる第２の基地局の集中型ユニットであり、前記第５の無線通信ノードは、前記第２の基地局の分散型ユニットである、請求項１に記載の方法。
【請求項１１】
前記ランダムアクセスネットワーク通知更新メッセージを正常に処理し、前記第１の無線通信ノードがコアネットワークへのアンカポイントとしての役割を果たしたままであることを決定することに応答して、第５のメッセージを前記第４の無線通信ノードに送信すること
をさらに含み、
前記第５のメッセージは、エリア更新確認応答無線リソース制御メッセージを含む、請求項１０に記載の方法。
【請求項１２】
前記第５のメッセージの受信に応答して、前記第４の無線通信ノードは、第６のメッセージを前記第５の無線通信ノードに送信し、
前記第６のメッセージは、以下の情報、すなわち、
前記エリア更新確認応答無線リソース制御メッセージを含む第５のエンコードされたコンテナ、前記第５の無線通信ノードが前記第３の無線通信ノードに割り当てたセル無線ネットワーク一時識別子、前記第５の無線通信ノードが前記第３の無線通信ノードに割り当てた前記第４の無線通信ノードと第５の無線通信ノードとの間のＦ１インターフェース上の第１のアプリケーション識別子、前記第４の無線通信ノードが前記第３の無線通信ノードに割り当てた前記第４の無線通信ノードと第５の無線通信ノードとの間のＦ１インターフェース上の第２のアプリケーション識別子、および前記第５の無線通信ノード内に記憶された前記第３の無線通信ノードのコンテキストを削除することを示すフラグ信号
のうちの少なくとも１つを含む、請求項１１に記載の方法。
【請求項１３】
前記ランダムアクセスネットワーク通知更新メッセージを正常に処理し、前記第４の無線通信ノードが、前記コアネットワークへのアンカポイントとしての役割を果たす前記第１の無線通信ノードに取って代わったことを決定することに応答して、第７のメッセージを前記第４の無線通信ノードに送信すること
をさらに含み、
前記第７のメッセージは、前記エリア更新確認応答無線リソース制御メッセージおよび前記第２の無線通信ノード内に記憶された前記第３の無線通信ノードのコンテキストを含む、請求項１１に記載の方法。
【請求項１４】
前記第７のメッセージの受信に応答して、前記第４の無線通信ノードは、第８のメッセージを前記第５の無線通信ノードに送信し、
前記第８のメッセージは、以下の情報、すなわち、
前記エリア更新確認応答無線リソース制御メッセージを含む第６のエンコードされたコンテナ、前記第５の無線通信ノードが前記第３の無線通信ノードに割り当てたセル無線ネットワーク一時識別子、前記第５の無線通信ノードが前記第３の無線通信ノードに割り当てた前記第４の無線通信ノードと第５の無線通信ノードとの間のＦ１インターフェース上の第１のアプリケーション識別子、前記第４の無線通信ノードが前記第３の無線通信ノードに割り当てた前記第４の無線通信ノードと第５の無線通信ノードとの間のＦ１インターフェース上の第２のアプリケーション識別子、および前記第５の無線通信ノード内に記憶された前記第３の無線通信ノードのコンテキストを削除することを示すフラグ信号
のうちの少なくとも１つを含む、請求項１３に記載の方法。
【請求項１５】
前記第３の無線通信ノードが、前記無線リソース制御非アクティブモードに切り替わると、コアネットワークのアクセスおよびモビリティ管理機能から、前記第３の無線通信ノードの場所の更新を要求するメッセージを受信することと、
前記第３の無線通信ノードの場所を前記コアネットワークのアクセスおよびモビリティ管理機能に送信することであって、前記第３の無線通信ノードの場所は、前記第３の無線通信ノードと関連付けられたセルグローバル識別子、追跡エリア識別子、およびランダムアクセスネットワーク通知エリア識別子のうちの少なくとも１つを含む、ことと
をさらに含む、請求項１に記載の方法。
【請求項１６】
請求項１−１５のいずれか１項に記載の方法を行うように構成される、コンピューティングデバイス。
【請求項１７】
非一過性コンピュータ可読媒体であって、前記非一過性コンピュータ可読媒体は、請求項１−１５のいずれか１項を行うためのその上に記憶されるコンピュータ実行可能命令を有する、非一過性コンピュータ可読媒体。
【請求項１８】
第２の無線通信ノードによって実施される方法であって、
第１の無線通信ノードによって送信される第１のメッセージを受信することと、
前記第１のメッセージ内に含まれる第１のエンコードされたコンテナを第３の無線通信ノードに通過させることであって、前記第１のエンコードされたコンテナは、前記第３の無線通信ノードを無線リソース制御非アクティブモードに切り替えるように構成される、ことと
を含み、
前記第１および第２の無線通信ノードは、協働し、無線ネットワーク内の第１の基地局としての役割を果たす、方法。
【請求項１９】
前記第２の無線通信ノードは、前記基地局の分散型ユニットであり、前記第１の無線通信ノードは、前記基地局の集中型ユニットである、請求項１８に記載の方法。
【請求項２０】
前記第１のメッセージは、以下の情報、すなわち、
前記第１のエンコードされたコンテナ内の一時停止メッセージ、前記第２の無線通信ノード内に記憶される前記第３の無線通信ノードのコンテキストを削除することを示すフラグ信号、前記第２の無線通信ノードが前記第３の無線通信ノードに割り当てたセル無線ネットワーク一時識別子、前記第２の無線通信ノードが前記第３の無線通信ノードに割り当てた前記第１の無線通信ノードと第２の無線通信ノードとの間のＦ１インターフェース上の第１のアプリケーション識別子、前記第１の無線通信ノードが前記第３の無線通信ノードに割り当てた前記第１の無線通信ノードと第２の無線通信ノードとの間のＦ１インターフェース上の第２のアプリケーション識別子、およびシグナリング無線ベアラタイプ
のうちの少なくとも１つを含む、請求項１８に記載の方法。
【請求項２１】
前記第３の無線通信ノードは、それ自体を前記無線リソース制御非アクティブモードに切り替えるように、前記一時停止メッセージを前記第１のエンコードされたコンテナから読み出すように構成される、請求項２０に記載の方法。
【請求項２２】
前記第３の無線通信ノードが、前記無線リソース制御非アクティブモードに切り替わると、前記第２の無線通信ノードによって、前記第３の無線通信ノードから、個別のランダムアクセスネットワーク通知エリアの更新を要求する無線リソース制御メッセージを受信することと、
第２のメッセージを前記第１の無線通信ノードに送信することと
をさらに含み、
前記第２のメッセージは、以下の情報、すなわち、
前記無線リソース制御メッセージを含む第２のエンコードされたコンテナ、前記第２の無線通信ノードが前記第３の無線通信ノードに割り当てたセル無線ネットワーク一時識別子、前記第２の無線通信ノードが前記第３の無線通信ノードに割り当てた前記第１の無線通信ノードと第２の無線通信ノードとの間のＦ１インターフェース上の第１のアプリケーション識別子、およびシグナリング無線ベアラタイプ
のうちの少なくとも１つを含む、請求項１８に記載の方法。
【請求項２３】
前記第１の無線通信ノードが、前記第２のエンコードされたコンテナからの前記無線リソース制御メッセージを正常にデコードすると、第３のメッセージを前記第１の無線通信ノードから受信すること
をさらに含み、
前記第３のメッセージは、以下の情報、すなわち、
エリア更新確認応答無線リソース制御メッセージを含む第３のエンコードされたコンテナ、前記第２の無線通信ノードが前記第３の無線通信ノードに割り当てた前記セル無線ネットワーク一時識別子、前記第２の無線通信ノードが前記第３の無線通信ノードに割り当てた前記第１の無線通信ノードと第２の無線通信ノードとの間のＦ１インターフェース上の第１のアプリケーション識別子、前記第２の無線通信ノード内に記憶される前記第３の無線通信ノードのコンテキストを削除することを示すフラグ信号、および前記第１の無線通信ノードが前記第３の無線通信ノードに割り当てた前記第１の無線通信ノードと第２の無線通信ノードとの間のＦ１インターフェース上の第２のアプリケーション識別子
のうちの少なくとも１つを含む、請求項２２に記載の方法。
【請求項２４】
前記第２の無線通信ノードは、前記第３のエンコードされたコンテナを前記第３の無線通信ノードに通過させ、前記第３の無線通信ノードが、前記エリア更新確認応答無線リソース制御メッセージを前記第３のエンコードされたコンテナから読み出すように構成される、請求項２３に記載の方法。
【請求項２５】
請求項１８−２４のいずれか１項に記載の方法を行うように構成される、コンピューティングデバイス。
【請求項２６】
非一過性コンピュータ可読媒体であって、前記非一過性コンピュータ可読媒体は、請求項１８−２４のいずれか１項に記載の方法を行うためのその上に記憶されるコンピュータ実行可能命令を有する、非一過性コンピュータ可読媒体。
【発明の詳細な説明】
【技術分野】
【０００１】
本開示は、概して、無線通信に関し、より具体的には、メッセージを無線ネットワーク内の２つの無線通信ノード間で交換することに関する。
【背景技術】
【０００２】
５Ｇの新たな無線（ＮＲ）通信ネットワーク（５Ｇネットワーク）における、ユーザからの大量の接続およびより高いレートの要件に起因して、ＬＴＥ（ロングタームエボリューション）通信ネットワーク内の、ＢＢＵ（ベースバンドユニット）とＲＲＵ（無線遠隔ユニット）との間のフロントホールインターフェースＣＰＲＩ（共通公衆無線インターフェース）の伝送容量が、大きな課題となっている。ＣＰＲＩインターフェースは、物理層コーディングによって処理されたＩ／Ｑ（実／虚）信号を伝送するため、ＣＰＲＩインターフェースは、伝送遅延および帯域幅におけるより厳格な要件を有する。５Ｇ  Ｆ１インターフェースレートが、１秒あたり数十ギガビット（Ｇｂｐｓ）まで増加される場合、ＣＰＲＩインターフェースにおけるトラフィック需要は、１秒あたりテラビット（Ｔｂｐｓ）レベルまで上昇し、これは、ネットワーク展開のコストおよび困難度の両方を増加させるであろう。したがって、５Ｇネットワークでは、伝送容量、伝送遅延、展開の容易性、および他の側面を考慮して、フロントホールインターフェースの分割を再定義する必要がある。例えば、非理想的フロントホール伝送を考慮すると、基地局（ＢＳ）を分割するとき、集中型ユニット（ＣＵ）等の遅延非センシティブネットワーク機能を第１のネットワーク要素内に置き、分散型ユニット（ＤＵ）等の遅延センシティブネットワーク機能を第２のネットワーク要素内に置く。第１のネットワーク要素と第２のネットワーク要素との間には、理想的および／または非理想的フロントホール伝送が、存在する。
【０００３】
さらに、５Ｇネットワークは、例えば、同時多接続通信（Ｍ−ＭＴＣ：Ｍａｓｓｉｖｅ  Ｍａｃｈｉｎｅ−Ｔｙｐｅ  Ｃｏｍｍｕｎｉｃａｔｉｏｎｓ）、高信頼低遅延通信（ＵＲＬＬＣ：Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎｓ）、高速大容量通信（ｅＭＢＢ：Ｅｎｈａｎｃｅｄ  Ｍｏｂｉｌｅ  Ｂｒｏａｄｂａｎｄ）等の多様な範囲の用途をサポートすることができるため、上記の用途のいくつかにおいて使用されるべきますます増加する数のユーザ機器デバイス（ＵＥ）が、バッテリによって給電されるであろうことが予期される。したがって、５Ｇネットワーク内のＵＥの電力消費は、最適化または減少すべきと予測されるパラメータの内の１つとなっている。この目的のため、加えて、５Ｇネットワーク内のランダムアクセスネットワーク（ＲＡＮ）とコアネットワーク（ＣＮ）との間のシグナリングオーバーヘッドを低減させるために、新しい無線リソース制御（ＲＲＣ）状態である、「ＲＲＣ非アクティブ化状態」が、提案されている。ＵＥは、ＵＥが、ある時間周期にわたって、非アクティブであった後、対応するＲＡＮ（例えば、ＢＳ）によって、ＲＲＣ非アクティブ状態に切り替わるように要求され得ることを理解されたい。既知のＲＲＣアイドル状態と異なり、ＵＥがＲＲＣ非アクティブ状態にあるとき、ＵＥは、依然として、動き回り、ページングメッセージを処理することができる。
【０００４】
しかしながら、今日まで、ＢＳが、ＣＵおよびＤＵとして分割されるとき、ＵＥをＲＲＣ非アクティブ状態に切り替える方法に関する研究は、行われていない。加えて、ＵＥが、ＲＲＣ非アクティブ状態下、新しいエリア（例えば、ランダムアクセスネットワーク（ＲＡＮ）通知エリア）の中に移動するとき、ＣＵおよびＤＵが、そのような新しいＲＡＮ通知エリアを更新するためのプロセスをハンドリングする方法に関する研究も、行われていない。したがって、５Ｇネットワークの予測される需要を満たすように、ＣＵおよびＤＵが、相互に協働し、そのようなシナリオをハンドリングするための方法およびシステムの必要性がある。
【発明の概要】
【課題を解決するための手段】
【０００５】
本明細書に開示される例示的実施形態は、先行技術に提示される問題のうちの１つ以上のものに関連する問題を解決し、かつ添付の図面と関連して検討されるときに以下の詳細な説明を参照することによって容易に明白となるであろう、付加的特徴を提供することを対象とする。種々の実施形態によると、例示的システム、方法、デバイス、およびコンピュータプログラム製品が、本明細書に開示される。しかしながら、これらの実施形態は、限定ではなく、一例として提示されることが理解され、開示される実施形態に対する種々の修正が、本開示の範囲内に留まったまま行われることができることが、本開示を熟読する当業者に明白となるであろう。
【０００６】
一実施形態では、第１の通信ノードによって実施される方法は、第３の無線通信ノードを無線リソース制御非アクティブモードに切り替えることの決定に応じて、第１の無線通信ノードによって、第１のメッセージを第２の無線通信ノードに送信するステップを含む。第１および第２の無線通信ノードは、協働し、無線ネットワーク内の第１の基地局としての役割を果たす。
【０００７】
別の実施形態では、第２の通信ノードによって実施される方法は、第１の無線通信ノードによって送信される第１のメッセージを受信するステップと、第１のメッセージ内に含まれる第１のエンコードされたコンテナを第３の無線通信ノードに通過させるステップを含み、第１のエンコードされたコンテナは、第３の無線通信ノードを無線リソース制御非アクティブモードに切り替えるように構成される。第１および第２の無線通信ノードは、協働し、無線ネットワーク内の第１の基地局としての役割を果たす。
【０００８】
本発明の種々の例示的実施形態は、以下の図を参照して下記に詳細に説明される。図面は、例証目的のためだけに提供され、単に、本発明の読者の理解を促進するための本発明の例示的実施形態を描写する。したがって、図面は、本発明の範疇、範囲、または可用性の限定と見なされるべきではない。明確にするため、かつ例証の容易性のため、これらの図面は、必ずしも、正確な縮尺で描かれていないことに留意されたい。
【図面の簡単な説明】
【０００９】
【図１】図１は、本発明のいくつかの実施形態による、本明細書に開示される技法が実装され得る、例示的セルラー通信ネットワークを図示する。
【００１０】
【図２】図２は、本発明のいくつかの実施形態による、図１の通信ネットワークの基地局の集中型ユニット−分散型ユニット（ＣＵ−ＤＵ）分離構造を図示する。
【００１１】
【図３】図３は、いくつかの実施形態による、図２の基地局の集中型ユニット（ＣＵ）と分散型ユニット（ＤＵ）との間の例示的機能分割を図示する。
【００１２】
【図４】図４は、いくつかの実施形態による、図２の基地局の集中型ユニット（ＣＵ）の例示的ブロック図を図示する。
【００１３】
【図５】図５は、いくつかの実施形態による、図２の基地局の分散型ユニット（ＤＵ）の例示的ブロック図を図示する。
【００１４】
【図６】図６は、いくつかの実施形態による、図２の基地局のＣＵおよびＤＵが、協働して、例示的方法を実施し、ユーザ機器デバイスをＲＲＣ非アクティブ状態に切り替える、シナリオを図示する。
【００１５】
【図７】図７は、いくつかの実施形態による、図２の基地局のＣＵおよびＤＵが、協働して、例示的方法を実施し、ＲＡＮ通知エリアを更新する、シナリオを図示する。
【００１６】
【図８】図８は、いくつかの実施形態による、図２の基地局のＣＵおよびＤＵが、別の基地局とともに、協働して、例示的方法を実施し、ＲＡＮ通知エリアを更新する、シナリオを図示する。
【００１７】
【図９】図９は、いくつかの実施形態による、図２の基地局のＣＵおよびＤＵが、別の基地局とともに、協働して、別の例示的方法を実施し、ＲＡＮ通知エリアを更新する、シナリオを図示する。
【００１８】
【図１０】図１０は、いくつかの実施形態による、コアネットワークのランダムアクセスネットワークノード（ＲＡＮノード）およびアクセスおよびモビリティ管理機能（ＡＭＦ）が、協働して、例示的方法を実施し、ＲＡＮノードによってサービス提供されるユーザ機器デバイスの場所を更新する、シナリオを図示する。
【発明を実施するための形態】
【００１９】
本開示の種々の例示的実施形態は、当業者が本開示を作製および使用することを可能にするために、付随の図を参照して下記に説明される。当業者に明白となるであろうように、本開示を熟読後、本明細書に説明される実施例の種々の変更または修正が、本開示の範囲から逸脱することなく、行われることができる。したがって、本開示は、本明細書に説明および図示される例示的実施形態および用途に限定されない。加えて、本明細書に開示される方法におけるステップの具体的順序または階層は、単に、例示的アプローチである。設計選好に基づいて、開示される方法またはプロセスのステップの具体的順序または階層は、本開示の範囲内に留まったまま、並べ替えられることができる。したがって、当業者は、本明細書に開示される方法および技法が、種々のステップまたは行為をサンプル順序において提示し、本開示が、明示的にそうではないことが述べられない限り、提示される具体的順序または階層に限定されないことを理解するであろう。
【００２０】
図１は、本開示の種々の実施形態による、本明細書に開示される技法が実装され得る、例示的無線通信ネットワーク１００を図示する。例示的通信ネットワーク１００は、通信リンク１１０（例えば、無線通信チャネル）を介して相互に通信し得る、基地局（ＢＳ）１０２およびユーザ機器デバイス（ＵＥ）１０４と、地理的エリア１０１にオーバーレイする、概念セル１２６、１３０、１３２、１３４、１３６、１３８、および１４０のクラスタとを含む。図１では、ＢＳ１０２およびＵＥ１０４は、セル１２６の地理的境界内に含有される。他のセル１３０、１３２、１３４、１３６、１３８、および１４０はそれぞれ、適正な無線カバレッジをその意図されるユーザに提供するためのその配分された帯域幅で動作する、少なくとも１つの基地局を含んでもよい。例えば、基地局１０２は、適正なカバレッジをＵＥ１０４に提供するために配分されたチャネル伝送帯域幅で動作してもよい。基地局１０２およびＵＥ１０４は、それぞれ、ダウンリンク無線フレーム１１８およびアップリンク無線フレーム１２４を介して、通信してもよい。各無線フレーム１１８／１２４はさらに、サブフレーム１２０／１２７に分割されてもよく、これは、データシンボル１２２／１２８を含んでもよい。本開示では、基地局（ＢＳ）１０２およびユーザ機器（ＵＥ）１０４は、本明細書では、概して、本明細書に開示される方法を実践し得る、「通信デバイス」の非限定的実施例として説明される。そのような通信デバイスは、本開示の種々の実施形態による、無線および／または有線通信が可能であり得る。
【００２１】
上記に述べられたように、５Ｇネットワークでは、ＢＳは、第１のネットワーク要素（集中型ネットワーク要素ＣＵ）および第２のネットワーク要素（分散型ネットワーク要素ＤＵ）に分離されてもよい。図２は、本開示のいくつかの実施形態による、ＢＳ１０２の第１のネットワーク要素と第２のネットワーク要素との間のフロントホールインターフェースを図示する。示されるように、ＢＳ１０２は、第１のネットワーク要素２１０および第２のネットワーク要素２２０に分割される。第１のネットワーク要素２１０および第２のネットワーク要素２２０は、フロントホールインターフェース２３０を通して通信し、フロントホールは、異なる遅延に従って、理想的フロントホールまたは非理想的フロントホールであることができる。理想的フロントホール伝送は、数十〜数百マイクロ秒等の比較的に短遅延を有する。非理想的フロントホール伝送は、数ミリ秒等の比較的に長遅延を有する。理想的および非理想的フロントホール伝送間の差異に起因して、異なるネットワーク機能を第１のネットワーク要素２１０および第２のネットワーク要素２２０に分割する異なる方法が存在する。
【００２２】
一実施形態では、第１のネットワーク要素２１０は、ＣＵであって、第２のネットワーク要素２２０は、ＤＵであって、ＣＵ２１０およびＤＵ２２０は、協働し、１つ以上のセルに基地局としてサービス提供することができる。１つのＣＵは、複数のＤＵを同時に制御し得る一方、ＤＵは、１つのセルと関連付けられることができるか、または、１つ以上のセルを含むセルリストと関連付けられることができる。いくつかのＤＵをＣＵを用いて制御することによって、無線システムは、ベースバンド集中型処理を有し、クラウドアーキテクチャにおいて、分散型遠隔サービスをユーザに提供することができる。
【００２３】
ＣＵ−ＤＵ分離ネットワークアーキテクチャでは、遅延非センシティブネットワーク機能は、ＣＵ内に設置されてもよく、遅延センシティブネットワーク機能は、ＤＵ内に設置されてもよい。故に、ＣＵおよびＤＵは、異なるネットワーク機能を実装するために異なるハードウェアおよび構造を有し得る。
【００２４】
例えば、第１のプロトコルエンティティ（例えば、無線リソース制御（ＲＲＣ）エンティティ）は、ＣＵに位置する。第１のプロトコルエンティティは、制御信号を生成し、無線ベアラの確立、修正、および／または解放を維持し、基地局の第２のプロトコルエンティティ、第３のプロトコルエンティティ、第４のプロトコルエンティティ、および物理（ＰＨＹ）層の更新されたパラメータを維持する。第２のプロトコルエンティティは、ＬＴＥシステムのＰＤＣＰ（パケットデータ収束プロトコル）機能と比較して、類似または向上された機能を有する。第３のプロトコルエンティティは、ＬＴＥシステムのＲＬＣ（無線リンク制御）機能と比較して、類似または向上された機能を有する。第４のプロトコルエンティティは、ＬＴＥシステムのＭＡＣ（媒体アクセス制御）機能と比較して、類似または向上された機能を有する。ＤＵは、基地局の第２のプロトコルエンティティ、第３のプロトコルエンティティ、第４のプロトコルエンティティ、物理層、および無線周波数（ＲＦ）ユニットのうちの少なくとも１つを含む。
【００２５】
図３は、本開示のいくつかの実施形態による、第１のネットワーク要素と第２のネットワーク要素との間、例えば、ＣＵ２１０とＤＵ２２０との間の例示的機能分割を図示する。より具体的には、図３は、ＣＵ２１０とＤＵ２２０との間の８つの可能性として考えられる機能分割オプションを図示し、これは、それぞれ、下記に説明される。
【００２６】
オプション１（ＲＲＣ／ＰＤＣＰ分離）：本オプションの機能分離は、デュアル接続（ＤＣ）における１Ａ構造に類似する。ＲＲＣは、ＣＵ内に位置し、ＰＤＣＰ、ＲＬＣ、ＭＡＣ、ＰＨＹ、およびＲＦ機能は、ＤＵ内に位置する。すなわち、ＵＰ全体が、ＤＵ内に位置する。
【００２７】
オプション２（ＰＤＣＰ／ＲＬＣ分離）：本オプションの機能分離は、デュアル接続（ＤＣ）における３Ｃ構造に類似する。ＲＲＣおよびＰＤＣＰは、ＣＵ内に位置し、ＲＬＣ、ＭＡＣ、ＰＨＹ、およびＲＦ機能は、ＤＵ内に位置する。
【００２８】
オプション３（ＲＬＣ高レベル／低レベル分離）：低レベルＲＬＣ（ＲＬＣの部分的機能）、ＭＡＣ、ＰＨＹ、およびＲＦは、ＤＵ内に位置し、ＲＲＣ、ＰＤＣＰ、および高レベルＲＬＣ（ＲＬＣの部分的機能）機能は、ＣＵ内に位置する。
【００２９】
オプション４（ＲＬＣ−ＭＡＣ分離）：ＭＡＣ、ＰＨＹ、およびＲＦ部分は、ＤＵ内に位置し、ＰＤＣＰおよびＲＬＣ機能は、ＣＵ内に位置する。
【００３０】
オプション５（ＭＡＣ内部分離）：ＭＡＣ機能のうちのいくつか（ＨＡＲＱ等）、ＰＨＹ、およびＲＦは、ＤＵ内に位置し、他の上位レベル機能は、ＣＵ内に位置する。
【００３１】
オプション６（ＭＡＣ−ＰＨＹ）：ＰＨＹおよびＲＦ部分は、ＤＵ内に位置し、ＲＲＣ、ＰＤＣＰ、ＲＬＣ、およびＭＡＣ機能は、ＣＵ内に位置する。
【００３２】
オプション７（ＰＨＹ内部分離）：ＰＨＹ機能のうちのいくつかおよびＲＦは、ＤＵ内に位置し、他の上位機能は、ＣＵ内に位置する。
【００３３】
オプション８（ＰＨＹ−ＲＦ分離）：ＲＦ部分は、ＤＵ内に位置し、他の上位レベル機能は、ＣＵ内に位置する。
【００３４】
一実施形態では、ある規格が、ネットワーク機能をＣＵおよびＤＵに分割するための２つ以上のオプションをサポートするとき、無線システムは、無線通信の間、サポートされるオプション間で適応的に切り替わることができる。
【００３５】
図４は、本開示のいくつかの実施形態による、ＣＵ２１０の例示的ブロック図を図示する。ＣＵ２１０は、下記に議論されるように、説明される種々の方法を実装するように構成され得る、デバイスの実施例である。示されるように、ＣＵ２１０は、システムクロック４０２と、プロセッサ４０４と、メモリ４０６と、送信機４１２および受信機４１４を備える送受信機４１０と、電力モジュール４０８と、ＣＵネットワーク接続モジュール４２０とを備える、筐体４０１を含む。いくつかの実施形態では、前述のコンポーネント／モジュールは、バスシステム４２４によって、ともに結合される。バスシステム４２４は、データバスと、データバスに加え、例えば、電力バス、制御信号バス、および／またはステータス信号バスとを含むことができる。ＣＵ２１０のコンポーネント／モジュールは、任意の好適な技法および媒体を使用して、相互に動作可能に結合されることができることを理解されたい。
【００３６】
いくつかの実施形態では、システムクロック４０２は、ＣＵ２１０の全ての動作のタイミングを制御するためのタイミング信号をプロセッサ４０４に提供する。プロセッサ４０４は、ＣＵ２１０の一般的動作を制御し、中央処理ユニット（ＣＰＵ）および／または汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、離散ハードウェアコンポーネント、専用ハードウェア有限状態機械、またはデータの計算または他の操作を実施し得る、任意の他の好適な回路、デバイス、および／または構造の任意の組み合わせ等の１つ以上の処理回路またはモジュールを含むことができる。
【００３７】
読取専用メモリ（ＲＯＭ）およびランダムアクセスメモリ（ＲＡＭ）の両方を含み得る、メモリ４０６は、命令およびデータをプロセッサ４０４に提供することができる。メモリ４０６の一部はまた、不揮発性ランダムアクセスメモリ（ＮＶＲＡＭ）を含むことができる。プロセッサ４０４は、典型的には、メモリ４０６内に記憶されるプログラム命令に基づいて、論理および算術演算を実施する。メモリ４０６内に記憶される命令（ソフトウェアとして知られる）は、プロセッサ４０４によって実行され、本明細書に説明される方法を実施することができる。プロセッサ４０４およびメモリ４０６はともに、ソフトウェアを記憶および実行する、処理システムを形成する。本明細書で使用されるように、「ソフトウェア」は、ソフトウェア、ファームウェア、ミドルウェア、マイクロコード等と称されるかどうかにかかわらず、任意のタイプの命令を意味し、これは、１つ以上の所望の機能またはプロセスを実施するように、機械またはデバイスを構成することができる。命令は、コードを含むことができる（例えば、ソースコードフォーマット、バイナリコードフォーマット、実行可能コードフォーマット、またはコードの任意の他の好適なフォーマットにおいて）。命令は、１つ以上のプロセッサによって実行されると、処理システムに、本明細書に説明される種々の機能を実施させる。
【００３８】
送信機４１２と、受信機４１４とを含む、送受信機４１０は、ＣＵ２１０が、データを遠隔デバイス（例えば、ＤＵ）におよびそこから伝送および受信することを可能にする。一実施形態では、アンテナ４２２が、筐体４０１に取り付けられ、送受信機４１０に電気的に結合されてもよい。種々の実施形態では、ＣＵ２１０は、複数の送信機、複数の受信機、複数の送受信機、および／または複数のアンテナを含む（図示せず）。送信機４１２は、異なるパケットタイプまたは機能を有するパケットを無線で伝送するように構成されることができ、そのようなパケットは、プロセッサ４０４によって生成される。同様に、受信機４１４は、異なるパケットタイプまたは機能を有するパケットを受信するように構成され、プロセッサ４０４は、複数の異なるパケットタイプのパケットを処理するように構成される。例えば、プロセッサ４０４は、パケットのタイプを決定し、適宜、パケットおよび／またはパケットのフィールドを処理するように構成されることができる。別の実施形態では、ＣＵ２１０は、送信機４１２および受信機４１４が、光ファイバを通して、それぞれ、信号を伝送および受信するように構成され得るように、光ファイバ通信を介して、ＤＵと通信してもよい。
【００３９】
電力モジュール４０８は、１つ以上のバッテリおよび電力調整器等の電源を含み、調整された電力を図４における上記に説明されるモジュールのそれぞれに提供することができる。いくつかの実施形態では、ＣＵ２１０が、専用外部電源（例えば、壁電気コンセント）に結合される場合、電力モジュール４０８は、変圧器と、電力調整器とを含むことができる。
【００４０】
ＣＵネットワーク通信モジュール４２０は、概して、送受信機４１０と、ＣＵ２１０（例えば、ＤＵ２２０）と通信するように構成される、他のネットワークコンポーネントおよび通信デバイスとの間の双方向通信を有効にする、ハードウェア、ソフトウェア、ファームウェア、処理論理、および／またはＣＵ２１０の他のコンポーネントを表す。例えば、ＣＵネットワーク通信モジュール４２０は、ＣＵ２１０およびＤＵ２２０によって協働してサービス提供される、ＤＵ２２０および／またはＵＥと関連付けられた種々の情報を含む、メッセージを生成してもよい。ＣＵネットワーク通信モジュール４２０は、メッセージを送信機４１２に送信し、送信機４１２に、メッセージを、ＣＵ２１０およびＤＵ２２０が、協働し、無線ネットワーク内の第１の基地局としての役割を果たし得る、ＣＵ２１０と関連付けられたＤＵ２２０に、および／または少なくとも１つの対応するＤＵと協働し、無線ネットワーク内の第２の基地局としての役割を果たし得る、別のＣＵに伝送するように命令してもよい。ＣＵ２１０の詳細な動作は、下記にさらに詳細に議論されるであろう。
【００４１】
図５は、本開示のいくつかの実施形態による、ＤＵ２２０の例示的ブロック図を図示する。ＤＵ２２０は、下記に議論されるように、説明される種々の方法を実装するように構成され得る、デバイスの実施例である。図４に示されるＣＵ２１０と同様に、ＤＵ２２０は、システムクロック５０２と、プロセッサ５０４と、メモリ５０６と、送信機５１２および受信機５１４を備える送受信機５１０と、電力モジュール５０８と、ＤＵネットワーク接続モジュール５２０とを備える、筐体５０１を含み、上記のコンポーネント／モジュールは、バスシステム５２４によってともに結合される。いくつかの実施形態では、ＤＵ２２０のコンポーネント／モジュール（例えば、５０２、５０４、５０６、５０８、５１０、および５２２）の個別の機能性は、ＤＵネットワーク接続モジュール５２０を除き、ＣＵ２１０の対応するコンポーネント／モジュールに実質的に類似する。したがって、コンポーネント／モジュール５０２−５２２は、ここでは繰り返されない。
【００４２】
ＤＵネットワーク通信モジュール５２０は、概して、送受信機５１０と、ＤＵ２２０（例えば、ＣＵ２１０）と通信するように構成される、他のネットワークコンポーネントおよび通信デバイスとの間の双方向通信を有効にする、ハードウェア、ソフトウェア、ファームウェア、処理論理、および／またはＤＵ２２０の他のコンポーネントを表す。例えば、ＤＵネットワーク通信モジュール５２０は、ＤＵ２２０自体および／または前述のＵＥと関連付けられた種々の情報を含む、メッセージを処理してもよい。ＤＵネットワーク通信モジュール５２０は、メッセージを送信機５１２に送信し、送信機５１２に、メッセージをＣＵ２１０、および／またはＵＥに伝送するように命令してもよい。ＤＵ２２０の詳細な動作は、下記にさらに詳細に議論されるであろう。規定された動作または機能に関する、用語「〜ように構成される（ｃｏｎｆｉｇｕｒｅｄ  ｔｏ）」または「〜のために構成される（ｃｏｎｆｉｇｕｒｅｄ  ｆｏｒ）」およびその活用形は、本明細書で使用されるように、規定された動作または機能を実施するように物理的に構築される、プログラムされる、フォーマットされる、および／または配列される、デバイス、コンポーネント、回路、構造、機械、信号等を指す。
【００４３】
再び図１および２を参照すると、上記に議論されるように、ＵＥ１０４は、ＵＥ１０４の電力消費およびシグナリングオーバーヘッドを低減させるために、ＲＲＣ非アクティブ状態に切り替わるように命令されてもよい。本開示は、ＢＳ１０２のＣＵ２１０およびＤＵ２２０が、動作可能に協働し、ＵＥ１０４をＲＲＣ非アクティブ状態に切り替わらせる方法を例証するためのシステムおよび方法の種々の実施形態を提供する。ＵＥ１０４が、ＲＲＣ非アクティブ状態に切り替わり、新しいエリア（例えば、ＲＡＮ通知エリア）の中に移動した後、開示される実施形態はさらに、ＣＵ２１０およびＤＵ２２０が、動作可能に協働し、ＵＥが移動したエリアを更新する方法を例証する。なおもさらに、開示される実施形態は、ＣＵ２１０が、前述のＲＡＮ通知エリアであり得る、ＵＥ１０４が位置する現在のエリアを、要求に応じて、コアネットワークに報告する方法を例証する。
【００４４】
図６は、いくつかの実施形態による、ＣＵ２１０およびＤＵ２２０が、協働して、方法６００を実施し、ＵＥ１０４をＲＲＣ非アクティブ状態に切り替える、シナリオを図示する。方法６００は、動作６０２から開始し、そこで、ＣＵ２１０が、ダウンリンク無線リソース制御（ＤＬ  ＲＲＣ）メッセージをＤＵ２２０に送信する。いくつかの実施形態では、ＣＵ２１０は、上記に議論されるような種々の懸念に起因して、ＵＥ１０４をＲＲＣ非アクティブ状態に切り替えることの決定に応じて、ＤＬ  ＲＲＣメッセージを１つ以上の関連付けられたＤＵ（例えば、２２０）に送信してもよい。
【００４５】
いくつかの実施形態では、ＤＬ  ＲＲＣメッセージは、以下の情報、すなわち、一時停止信号を含むエンコードされたコンテナ、ＤＵ２２０内に以前に記憶されたＵＥ１０４のコンテキスト（例えば、ＵＥ１０４の能力、識別子等）を削除することを示すフラグ信号、ＤＵ２２０がＵＥ１０４に以前に割り当てたセル無線ネットワーク一時識別子（Ｃ−ＲＮＴＩ）、ＤＵ２２０がＵＥ１０４に以前に割り当てたＣＵ２１０とＤＵ２２０との間のフロントホールインターフェース（例えば、Ｆ１インターフェース）上の第１のアプリケーション識別子（ＡＰ  ＩＤ）（典型的には、「ＤＵ  Ｆ１  ＵＥ  ＡＰ  ＩＤ」として知られる）、ＣＵ２１０がＵＥ１０４に以前に割り当てたＣＵ２１０とＤＵ２２０との間のＦ１インターフェース上の随意の第２のＡＰＩＤ（典型的には、「ＣＵ  Ｆ１  ＵＥ  ＡＰ  ＩＤ」として知られる）、およびシグナリング無線ベアラ（ＳＲＢ）タイプのうちの少なくとも１つを含んでもよい。
【００４６】
いくつかの実施形態では、一時停止信号は、ＵＥ１０４をＲＲＣ非アクティブ状態に切り替えさせるように構成される、Ｆ１インターフェース信号である。いくつかの実施形態では、ＣＵ２１０は、一時停止信号をコンテナ内にエンコードしてもよい。より具体的には、一時停止信号を含む、コンテナは、ＲＲＣ層内にエンコードされてもよく、これは、故に、「ＲＲＣコンテナ」と称され、ＤＵ２２０およびＵＥ１０４が、それぞれ、ＲＲＣコンテナを受信すると、下記に議論されるように、ＤＵ２２０は、ＲＲＣコンテナをデコードする必要がないが、対応するＲＲＣ層もまた含む、ＵＥ１０４は、ＲＲＣコンテナをデコードし、一時停止信号を取得することができる。
【００４７】
次に、方法６００は、動作６０４に継続し、そこで、ＤＵ２２０は、ＵＥ１０４のコンテキストを削除する。いくつかの実施形態では、ＤＵ２２０が、ＤＬ  ＲＲＣメッセージを受信すると、ＤＬ  ＲＲＣメッセージ内に含まれるフラグ信号に基づいて、ＤＵ２２０は、ＵＥ１０４のコンテキストを削除すべきかどうかを決定する。例えば、フラグ信号は、第１の論理状態（例えば、論理１）にあるとき、ＤＵ２２０は、ＵＥ１０４のコンテキストを削除してもよく、フラグ信号が、第２の論理状態（例えば、論理０）にあるとき、ＤＵ２２０は、ＵＥ１０４のコンテキストを保ってもよい。
【００４８】
次に、方法６００は、動作６０６に継続し、そこで、ＤＵ２２０は、ＤＬ  ＲＲＣメッセージ内に含まれるＲＲＣコンテナをＵＥ１０４に通過させる。上記に述べられたように、いくつかの実施形態では、ＤＵ２２０が、ＤＬ  ＲＲＣメッセージを受信すると、ＤＵ２２０は、一時停止信号を搬送するＲＲＣコンテナをデコードしない（すなわち、コンテナを直接ＵＥ１０４に通過させる）。したがって、ＵＥ１０４が、ＲＲＣコンテナを受信すると、ＵＥ１０４は、ＲＲＣコンテナをデコードし、それ自体をＲＲＣ非アクティブ状態に切り替えるように、一時停止信号を読み出す。
【００４９】
図７は、いくつかの実施形態による、ＣＵ２１０およびＤＵ２２０が、協働して、方法７００を実施し、ＵＥ１０４が移動したＲＡＮ通知エリアを更新する、シナリオを図示する。いくつかの実施形態では、ＵＥ１０４が、ＲＲＣ非アクティブ状態下にあるとき、ＵＥ１０４のＲＡＮ通知エリアを更新するためのそのようなプロセスは、ランダムアクセス更新（ＲＡＵ）プロセスと称され得る。さらに、いくつかの実施形態では、そのようなＲＡＵプロセスの間、ＣＵ２１０とコアネットワークのアクセスおよびモビリティ管理機能（ＡＭＦ）との間のインターフェース（例えば、ＮＧインターフェース）を経由したリンクは、無傷のままであり得る。
【００５０】
方法７００は、動作７０２から開始し、そこで、ＵＥ１０４が、ランダムアクセス更新（ＲＡＵ）メッセージをＤＵ２２０に送信する。いくつかの実施形態では、ＵＥ１０４は、ＲＡＵメッセージをＲＲＣ層においてエンコードし、個別のＲＡＮ通知エリアを更新するための要求に応じて、ＲＡＵメッセージを送信する。上記に述べられたように、ＵＥ１０４が、ＲＲＣ非アクティブ状態下にあるとき、ＵＥ１０４は、動き回ってもよい。ＵＥ１０４が、新しいＲＡＮ通知エリアの中に移動すると、その新しいＲＡＮ通知エリア内でブロードキャストされるシステム情報を受信することによって、ＵＥ１０４は、異なるＲＡＮ通知エリアに進入したことを決定してもよい。いくつかの実施形態では、ＵＥ１０４は、そのようなＲＡＵメッセージを、新しいＲＡＮ通知エリアにサービス提供する、ＤＵ２２０に送信してもよい。したがって、新しいＲＡＮ通知エリアは、依然として、ＣＵ２１０によってサービス提供されてもよい。
【００５１】
次に、方法７００は、動作７０４に継続し、そこで、ＤＵ２２０が、アップリンク無線リソース制御（ＵＬ  ＲＲＣ）メッセージをＣＵ２１０に送信する。いくつかの実施形態では、ＤＵ２２０は、１つ以上のＵＥ（例えば、ＵＥ１０４）からのＲＡＵメッセージの受信に応じて、そのようなＵＬ  ＲＲＣメッセージを送信してもよい。
【００５２】
いくつかの実施形態では、ＵＬ  ＲＲＣメッセージは、以下の情報、すなわち、ＲＡＵメッセージを含むエンコードされたコンテナ（以降、「ＲＲＣ  ＲＡＵコンテナ」）、ＤＵ２２０がＵＥ１０４に以前に割り当てたセル無線ネットワーク一時識別子（Ｃ−ＲＮＴＩ）、ＤＵ２２０がＵＥ１０４に以前に割り当てたＣＵ２１０とＤＵ２２０との間のフロントホールインターフェース（例えば、Ｆ１インターフェース）上のアプリケーション識別子（ＡＰ  ＩＤ）（典型的には、「ＤＵ  Ｆ１  ＵＥ  ＡＰ  ＩＤ」として知られる）、およびシグナリング無線ベアラ（ＳＲＢ）タイプのうちの少なくとも１つを含んでもよい。いくつかの実施形態では、ＲＲＣ  ＲＡＵコンテナは、ＵＥ１０４によって、処理（例えば、エンコード）され、次いで、そこから送信されてもよい。同様に、ＤＵ２２０は、ＲＲＣ  ＲＡＵコンテナをデコードせず、ＲＲＣ  ＲＡＵコンテナをＣＵ２１０に通過させる。いくつかの実施形態では、本明細書に議論されるようなＤＵ  Ｆ１  ＵＥ  ＡＰ  ＩＤは、図６に関して議論されるＤＵ  Ｆ１  ＵＥ  ＡＰ  ＩＤと同じであってもよい。
【００５３】
次に、方法７００は、動作７０６に継続し、そこで、ＣＵ２１０が、ＤＬ  ＲＲＣメッセージをＤＵ２２０に送信する。いくつかの実施形態では、ＵＬ  ＲＲＣメッセージ内に含まれるＲＲＣ  ＲＡＵコンテナの受信に応じて、ＣＵ２１０は、ＲＲＣ  ＲＡＵコンテナをデコードし、ＲＡＵメッセージを読み出す。ＲＡＵメッセージを正常にデコードすると、ＣＵ２１０は、ＤＬ  ＲＲＣメッセージ（以降、「ＤＬ  ＲＲＣ成功メッセージ」）をＤＵ２２０に送信し、他方では、ＲＡＵメッセージを正常にデコードしないとき、ＣＵ２１０は、別のＤＬ  ＲＲＣメッセージ（「ＤＬ  ＲＲＣ不成功メッセージ」）をＤＵ２２０に送信し、これは、それぞれ、下記に議論されるであろう。
【００５４】
いくつかの実施形態では、ＤＬ  ＲＲＣ成功メッセージは、以下の情報、すなわち、エリア更新確認応答ＲＲＣメッセージを含むエンコードされたコンテナ（以降、それぞれ、「ＲＲＣ  ＲＡＵ  ＡＣＫコンテナ」および「ＲＡＵ  ＡＣＫメッセージ」）、ＤＵ２２０がＵＥ１０４に以前に割り当てたＣ−ＲＮＴＩ、ＤＵ２２０がＵＥ１０４に以前に割り当てたＤＵ  Ｆ１  ＵＥ  ＡＰ  ＩＤ、ＣＵ２１０がＵＥ１０４に以前に割り当てたＣＵ２１０とＤＵ２２０との間のＦ１インターフェース上の随意のＡＰ  ＩＤ（典型的には、「ＣＵ  Ｆ１  ＵＥ  ＡＰ  ＩＤ」として知られる）、およびＤＵ２２０内に以前に記憶されたＵＥ１０４のコンテキスト（例えば、ＵＥ１０４の能力、識別子等）を削除することを示すフラグ信号のうちの少なくとも１つを含む。いくつかの実施形態では、本明細書に議論されるようなＣＵ  Ｆ１  ＵＥ  ＡＰ  ＩＤは、図６に関して議論されるＣＵ  Ｆ１  ＵＥ  ＡＰ  ＩＤと同じであってもよい。
【００５５】
いくつかの実施形態では、ＤＬ  ＲＲＣ不成功メッセージは、ＤＬ  ＲＲＣ成功メッセージと実質的に類似情報を含むが、ＲＲＣ  ＲＡＵ  ＡＣＫコンテナの代わりに、ＤＬ  ＲＲＣ不成功メッセージは、ＲＲＣ解放メッセージ（以降、「ＲＲＣ解放コンテナ」）を含む、異なるエンコードされたコンテナを含む。ＲＲＣ解放メッセージは、ＵＥ１０４をＲＲＣアイドル状態に切り替えさせる（すなわち、全てまたは実質的に全てのＲＲＣリソースを解放する）ように、ＣＵ２１０によって生成されてもよい。
【００５６】
いくつかの実施形態によると、ＤＬ  ＲＲＣ成功および不成功メッセージはそれぞれ、フラグ信号を含むため、ＤＬ  ＲＲＣ成功または不成功メッセージが、ＤＵ２２０によって受信されるかどうかにかかわらず、ＤＵ２２０は、フラグ信号の論理状態に基づいて、ＤＵ２２０内に記憶されたＵＥ１０４のコンテキストを削除してもよい（上記に説明されるように）。
【００５７】
いくつかの実施形態では、動作７０６において、ＣＵ２１０が、ＲＲＣ  ＲＡＵ  ＡＣＫコンテナを含む、ＤＬ  ＲＲＣ成功メッセージを送信すると、方法７００は、動作７０８に継続し、そこで、ＤＵ２２０が、ＲＲＣ  ＲＡＵ  ＡＣＫコンテナをＵＥ１０４に通過させる。上記に説明される他のコンテナと同様に、ＤＵ２２０は、ＲＲＣ  ＲＡＵ  ＡＣＫコンテナをデコードせず、ＵＥ１０４が、ＲＲＣ  ＲＡＵ  ＡＣＫコンテナをデコードし、含まれるＲＡＵ  ＡＣＫメッセージを読み出す。故に、ＵＥ１０４によって開始される、ＲＡＵプロセスは、完了され得る。他方では、動作７０６において、ＣＵ２１０が、ＲＲＣ解放コンテナを含む、ＤＬ  ＲＲＣ不成功メッセージを送信すると、ＤＵ２２０は、動作７０８において、ＲＲＣ解放コンテナをＵＥ１０４に通過させてもよく、同様に、ＵＥ１０４は、それ自体をＲＲＣアイドル状態に切り替わらせるように、ＲＲＣ解放メッセージをＲＲＣ解放コンテナからデコードしてもよい。
【００５８】
図８は、いくつかの実施形態による、ＢＳ１０２と異なる、別のＢＳとしての役割を果たす、ＣＵ２１０およびＤＵ２２０（ＢＳ１０２としての役割を果たす）および別の対のＣＵ８１０およびＤＵ８２０が、協働して、方法８００を実施し、ＵＥ１０４が移動したＲＡＮ通知エリアを更新する、シナリオを図示する。ＵＥ１０４が移動する新しいＲＡＮ通知エリアが、依然として、同一ＣＵ２１０によってサービス提供される、図７に図示されるシナリオと異なり、図８のシナリオでは、ＵＥ１０４は、ＣＵ２１０によってサービス提供されない、新しいＲＡＮ通知エリアの中に移動してもよい。したがって、ＲＡＵプロセスは、ＵＥ１０４によって開始されてもよい。しかしながら、図７のシナリオと同様に、図８のＲＡＵプロセスの間、ＣＵ２１０とコアネットワークのアクセスおよびモビリティ管理機能（ＡＭＦ）との間のインターフェース（例えば、ＮＧインターフェース）を経由したリンクは、無傷のままであり得る。
【００５９】
方法８００は、動作８０１から開始し、そこで、ＵＥ１０４が、ランダムアクセス更新（ＲＡＵ）メッセージをＤＵ８２０に送信する。いくつかの実施形態では、ＵＥ１０４は、ＲＡＵメッセージをＲＲＣ層においてエンコードし、個別のＲＡＮ通知エリアを更新するための要求に応じて、ＲＡＵメッセージを送信する。上記に述べられたように、ＵＥ１０４が、ＲＲＣ非アクティブ状態下にあるとき、ＵＥ１０４は、動き回ってもよい。ＵＥ１０４が、新しいＲＡＮ通知エリアの中に移動すると、その新しいＲＡＮ通知エリア内でブロードキャストされるシステム情報を受信することによって、ＵＥ１０４は、異なるＲＡＮ通知エリアに進入したことを決定してもよい。いくつかの実施形態では、ＵＥ１０４は、そのようなＲＡＵメッセージを、新しいＲＡＮ通知エリアにサービス提供する、ＤＵ８２０に送信してもよい。したがって、新しいＲＡＮ通知エリアは、ＣＵ２１０の代わりに、ＣＵ８１０によってサービス提供されてもよい。
【００６０】
次に、方法８００は、動作８０３に継続し、そこで、ＤＵ８２０が、アップリンク無線リソース制御（ＵＬ  ＲＲＣ）メッセージを対応するＣＵ８１０に送信する。いくつかの実施形態では、ＤＵ８２０は、１つ以上のＵＥ（例えば、ＵＥ１０４）からのＲＡＵメッセージの受信に応じて、そのようなＵＬ  ＲＲＣメッセージを送信してもよい。
【００６１】
いくつかの実施形態では、ＵＬ  ＲＲＣメッセージは、以下の情報、すなわち、ＲＡＵメッセージを含むエンコードされたコンテナ（以降、「ＲＲＣ  ＲＡＵコンテナ」）、ＤＵ８２０がＵＥ１０４に以前に割り当てたセル無線ネットワーク一時識別子（Ｃ−ＲＮＴＩ）、ＤＵ８２０がＵＥ１０４に以前に割り当てたＤＵ８１０とＤＵ８２０との間のフロントホールインターフェース（例えば、Ｆ１インターフェース）上のアプリケーション識別子（ＡＰ  ＩＤ）（典型的には、「ＤＵ  Ｆ１  ＵＥ  ＡＰ  ＩＤ」として知られる）、およびシグナリング無線ベアラ（ＳＲＢ）タイプのうちの少なくとも１つを含んでもよい。いくつかの実施形態では、ＲＲＣ  ＲＡＵコンテナは、ＵＥ１０４によって、処理（例えば、エンコード）され、次いで、そこから送信されてもよい。同様に、ＤＵ８２０は、ＲＲＣ  ＲＡＵコンテナをデコードせず、ＲＲＣ  ＲＡＵコンテナをＣＵ８１０に通過させる。いくつかの実施形態では、本明細書に議論されるようなＤＵ  Ｆ１  ＵＥ  ＡＰ  ＩＤは、図６に関して議論されるＤＵ  Ｆ１  ＵＥ  ＡＰ  ＩＤと同じであってもよい。
【００６２】
次に、方法８００は、動作８０５に継続し、そこで、ＣＵ８１０が、ＣＵ８１０とＣＵ２１０との間のインターフェース（例えば、Ｘｎインターフェース）を経由して、ＲＡＵメッセージをＣＵ２１０に送信する。いくつかの実施形態では、ＲＲＣ  ＲＡＵコンテナの受信に応じて、ＣＵ８１０は、ＲＲＣ  ＲＡＵコンテナをデコードし、ＲＡＵメッセージを読み出し、ＲＡＵメッセージをＣＵ２１０に送信する。いくつかの実施形態では、ＲＡＵメッセージは、Ｘｎインターフェースを経由して、アプリケーション層を使用して送信されてもよい。次に、方法８００は、動作８０７に継続し、そこで、ＣＵ２１０が、エリア更新確認応答ＲＲＣメッセージ（以降、「ＲＡＵ  ＡＣＫメッセージ」）をＣＵ８１０に送信する。いくつかの実施形態では、ＣＵ２１０が、ＲＡＵメッセージを正常に処理し、ＣＵ２１０がコアネットワークへのアンカポイントとしての役割を果たしたままである（すなわち、依然として、ＵＥ１０４のコンテキストを保持する）ことを決定すると、ＣＵ２１０は、ＲＡＵ  ＡＣＫメッセージをＣＵ８１０に送信する。同様に、ＲＡＵ  ＡＣＫメッセージは、Ｘｎインターフェースを経由して、アプリケーション層を使用して送信されてもよい。図７の方法７００の動作７０６と同様に、ＣＵ２１０が、ＲＡＵメッセージを正常に処理しないと、ＣＵ２１０は、更新失敗メッセージをＣＵ８１０に送信してもよく、ＣＵ８１０は、ＲＲＣ解放メッセージを生成し、ＵＥ１０４をＲＲＣアイドル状態に切り替えさせ、これは、ここでは、繰り返し議論されない。
【００６３】
次に、方法８００は、動作８０９に継続し、そこで、ＣＵ８１０が、ＤＬ  ＲＲＣメッセージをＤＵ８２０に送信する。いくつかの実施形態では、ＲＡＵ  ＡＣＫメッセージの受信に応じて、ＣＵ８１０は、ＤＬ  ＲＲＣメッセージをＤＵ８２０に送信する。いくつかの実施形態では、ＤＬ  ＲＲＣメッセージは、以下の情報、すなわち、ＲＡＵ  ＡＣＫメッセージを含むエンコードされたコンテナ（以降、「ＲＲＣ  ＲＡＵ  ＡＣＫコンテナ」）、ＤＵ８２０がＵＥ１０４に以前に割り当てたＣ−ＲＮＴＩ、ＤＵ８２０がＵＥ１０４に以前に割り当てたＤＵ  Ｆ１  ＵＥ  ＡＰ  ＩＤ、ＣＵ８１０がＵＥ１０４に以前に割り当てたＣＵ８１０とＤＵ８２０との間のＦ１インターフェース上の随意のＡＰ  ＩＤ（典型的には、「ＣＵ  Ｆ１  ＵＥ  ＡＰ  ＩＤ」として知られる）、およびＤＵ８２０内に以前に記憶されたＵＥ１０４のコンテキスト（例えば、ＵＥ１０４の能力、識別子等）を削除することを示すフラグ信号のうちの少なくとも１つを含む。いくつかの実施形態では、フラグ信号の受信に応じて、ＤＵ８２０は、フラグ信号の論理状態に基づいて、ＤＵ８２０内に記憶されたＵＥ１０４のコンテキストを削除してもよい（上記に説明されるように）。いくつかの実施形態では、本明細書に議論されるようなＣＵ  Ｆ１  ＵＥ  ＡＰ  ＩＤは、図６に関して議論されるＣＵ  Ｆ１  ＵＥ  ＡＰ  ＩＤと同じであってもよい。
【００６４】
次に、方法８００は、動作８１１に継続し、そこで、ＤＵ８２０が、ＲＲＣ  ＲＡＵ  ＡＣＫコンテナをＵＥ１０４に通過させる。上記に説明される他のコンテナと同様に、ＤＵ８２０は、ＲＲＣ  ＲＡＵ  ＡＣＫコンテナをデコードせず、ＵＥ１０４が、ＲＲＣ  ＲＡＵ  ＡＣＫコンテナをデコードし、含まれるＲＡＵ  ＡＣＫメッセージを読み出す。故に、ＵＥ１０４によって開始される、ＲＡＵプロセスは、完了され得る。
【００６５】
図９は、いくつかの実施形態による、ＢＳ１０２と異なる、別のＢＳとしての役割を果たす、ＣＵ２１０およびＤＵ２２０（ＢＳ１０２としての役割を果たす）および別の対のＣＵ９１０およびＤＵ９２０が、協働して、方法９００を実施し、ＵＥ１０４が移動したＲＡＮ通知エリアを更新する、シナリオを図示する。図９のシナリオは、図８のシナリオに実質的に類似するが、図９では、ＣＵ９１０は、ＣＵ２１０に取って代わり、コアネットワークへの新しいアンカポイントとしての役割を果たす。故に、方法８００の参照番号は、それぞれ、１００ずつインクリメントされ、方法９００において使用される。動作９０１−９１１は、それぞれ、動作９０７を除き、動作８０１−８１１と同じであることに留意されたい。より具体的には、ＣＵ２１０は、アンカポイントとしての役割を果たさないため、ＣＵ２１０が、方法９００における動作９０７の間、ＲＡＵ  ＡＣＫメッセージをＣＵ９１０に送信すると、ＲＡＵ  ＡＣＫメッセージはさらに、ＵＥ１０４のコンテキストを含んでもよい。換言すると、ＵＥ１０４のコンテキストは、ＣＵ２１０からＣＵ９１０に「転送される」。いくつかの実施形態では、ＣＵ２１０自体が、依然として、方法９００の動作９０７の間、アンカポイントとしての役割を果たすかどうかを決定してもよい。
【００６６】
同様に、いくつかの実施形態では、図９のシナリオに図示されるように、ＲＡＵプロセスの間、ＣＵ２１０とコアネットワークのアクセスおよびモビリティ管理機能（ＡＭＦ）との間のインターフェース（例えば、ＮＧインターフェース）を経由したリンクは、無傷のままであり得る。しかしながら、ＣＵ９１０は、コアネットワークへの新しいアンカポイントとして、ＣＵ２１０に取って代わっているため、ＡＭＦ（図示せず）およびＣＵ９１０は、１つ以上のメッセージを交換し、データ通信ルートを更新してもよいことが、当業者によって理解される。
【００６７】
図１０は、いくつかの実施形態による、ランダムアクセスネットワークノード（ＲＡＮノード）およびコアネットワークのアクセスおよびモビリティ管理機能（ＡＭＦ）が、協働して、方法１０００を実施し、ＲＡＮノードによってサービス提供されるＵＥの場所を更新する、シナリオを図示する。本明細書に説明されるようなＲＡＮノードは、ｇＮＢ、ＡＭＦに接続されるｅＮＢ、ＢＳのＣＵ等であることができることを理解されたい。
【００６８】
方法１０００は、動作１００２から開始し、そこで、ＡＭＦが、ＵＥの場所を報告することを要求する。いくつかの実施形態では、ＡＭＦは、ＮＧインターフェースを経由して、ＲＡＮノードに、ＵＥの場所の更新を要求する、第１のメッセージを送信してもよい。いくつかの実施形態では、第１のメッセージは、以下の情報、すなわち、ＮＧインターフェース上のＵＥの識別子、報告タイプ、および報告分解能のうちの少なくとも１つを含んでもよい。ある実施形態では、報告タイプは、ＲＲＣ非アクティブタイプを含んでもよい。具体的には、ＵＥが、ＲＲＣ非アクティブ状態に切り替わり、新しいエリアの中に移動後、エリア更新プロセス（例えば、ＲＡＵプロセス）を開始すると、ＲＡＮノードは、ＵＥの場所を報告することを要求される。また、報告分解能は、セルの分解能、ＲＡＮ通知エリアの分解能等を含んでもよい。
【００６９】
次に、方法１０００は、動作１００４に継続し、そこで、ＲＡＮノードが、ＵＥの場所を報告する。いくつかの実施形態では、ＲＡＮノードが、第１のメッセージを正常に処理した後、ＲＡＮノードは、第２のメッセージをＡＭＦに返信し、ＵＥの場所を報告してもよい。いくつかの実施形態では、第２のメッセージは、以下の情報、すなわち、ＮＧインターフェース上のＵＥの識別子、ＵＥがＲＲＣ非アクティブ状態下にあったときのＵＥの最後に更新された場所等のうちの少なくとも１つを含んでもよい。具体的には、ＵＥの場所は、セルグローバル識別子、追跡エリア識別子、ＲＡＮ通知エリア識別子によって示されることができる。
【００７０】
方法１０００は、動作１００４に進み、そこで、ＲＡＮノードが、ＵＥの場所の報告に失敗する。ある場合には、ＲＡＮノードは、第１のメッセージを正常に処理しない場合がある。したがって、ＲＡＮノードは、第３のメッセージをＡＭＦに返信し、ＵＥの場所に関する更新が失敗したことを示してもよい。動作１００４は、必ずしも、動作１００２に続いて生じるとは限らないことに留意されたい。
【００７１】
本発明の種々の実施形態が、上記に説明されたが、それらは、限定としてではなく、実施例としてのみ提示されたことを理解されたい。同様に、種々の略図は、例示的アーキテクチャまたは構成を描写し得、これは、当業者が、本発明の例示的特徴および機能を理解することを可能にするために提供される。しかしながら、そのような当業者は、本発明が、図示される例示的アーキテクチャまたは構成に制限されず、種々の代替アーキテクチャおよび構成を使用して実装されることができることを理解するであろう。
【００７２】
加えて、当業者によって理解されるであろうように、一実施形態の１つ以上の特徴は、本明細書に説明される別の実施形態の１つ以上の特徴と組み合わせられることができる。したがって、本開示の範疇および範囲は、上記に説明される例示的実施形態のいずれかによって限定されるべきではない。
【００７３】
また、「第１」、「第２」等の指定を使用した本明細書における要素の任意の参照は、概して、それらの要素の数量または順序を限定するものではないことを理解されたい。むしろ、これらの指定は、本明細書では、２つ以上の要素または要素のインスタンス間で区別する便宜的手段として使用されることができる。したがって、第１および第２の要素の参照は、２つのみの要素が採用され得る、または第１の要素がある様式において第２の要素に先行しなければならないことを意味するものではない。
【００７４】
加えて、当業者は、情報および信号が種々の異なる技術および技法のいずれかを使用して表されることができることを理解するであろう。上記の説明において参照され得る、例えば、データ、命令、コマンド、情報、信号、ビット、およびシンボルは、例えば、電圧、電流、電磁波、磁場または粒子、光場または粒子、または任意のそれらの組み合わせによって表されることができる。
【００７５】
当業者はさらに、本明細書に開示される側面に関連して説明される、種々の例証的論理ブロック、モジュール、プロセッサ、手段、回路、方法、および機能のいずれかが、電子ハードウェア（例えば、デジタル実装、アナログ実装、またはその２つの組み合わせ）、ファームウェア、命令を組み込む種々の形態のプログラムまたは設計コード（本明細書では、便宜上、「ソフトウェア」または「ソフトウェアモジュールと称され得る）、またはこれらの技法の任意の組み合わせによって実装されることができることを理解するであろう。ハードウェア、ファームウェア、およびソフトウェアの本可換性を明確に例証するために、種々の例証的コンポーネント、ブロック、モジュール、回路、およびステップは、概して、その機能性の観点から上記に説明されている。そのような機能性が、ハードウェア、ファームウェア、またはソフトウェア、またはこれらの技法の組み合わせとして実装されるかどうかは、特定の用途および全体的システム上に課される設計制約に依存する。当業者は、説明される機能性を特定の用途毎に種々の方法で実装することができるが、そのような実装決定は、本開示の範囲からの逸脱を生じさせるものではない。
【００７６】
種々の実施形態によると、プロセッサ、デバイス、コンポーネント、回路、構造、機械、モジュール等は、本明細書に説明される機能の１つ以上のものを実施するように構成されることができる。本明細書中で規定された動作または機能に関して使用される用語「〜ように構成される（ｃｏｎｆｉｇｕｒｅｄ  ｔｏ）」または「〜のために構成される（ｃｏｎｆｉｇｕｒｅｄ  ｆｏｒ）」は、規定された動作または機能を実施するように物理的に構築される、プログラムされる、および／または配列される、プロセッサ、デバイス、コンポーネント、回路、構造、機械、モジュール等を指す。
【００７７】
さらに、当業者は、本明細書に説明される種々の例証的論理ブロック、モジュール、デバイス、コンポーネント、および回路が、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、または任意のそれらの組み合わせを含み得る、集積回路（ＩＣ）内に実装される、またはそれによって実施されることができることを理解するであろう。論理ブロック、モジュール、および回路はさらに、アンテナおよび／または送受信機を含み、ネットワークまたはデバイス内の種々のコンポーネントと通信することができる。汎用プロセッサは、マイクロプロセッサであることができるが、代替として、プロセッサは、任意の従来のプロセッサ、コントローラ、または状態機械であることができる。プロセッサはまた、コンピューティングデバイス、例えば、ＤＳＰおよびマイクロプロセッサ、複数のマイクロプロセッサ、ＤＳＰコアと併せた１つ以上のマイクロプロセッサの組み合わせ、または本明細書に説明される機能を実施するための任意の他の好適な構成の組み合わせとして実装されることができる。
【００７８】
ソフトウェア内に実装される場合、機能は、１つ以上の命令またはコードとして、コンピュータ可読媒体上に記憶されることができる。したがって、本明細書に開示される方法またはアルゴリズムのステップは、コンピュータ可読媒体上に記憶されるソフトウェアとして実装されることができる。コンピュータ可読媒体は、コンピュータ記憶媒体および通信媒体の両方を含み、コンピュータプログラムまたはコードを１つの場所から別の場所に転送するように可能にされ得る、任意の媒体を含む。記憶媒体は、コンピュータによってアクセスされ得る、任意の利用可能な媒体であることができる。限定ではなく、一例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または所望のプログラムコードを命令またはデータ構造の形態で記憶するために使用され得、かつコンピュータによってアクセスされ得る、任意の他の媒体を含むことができる。
【００７９】
本書では、用語「モジュール」は、本明細書で使用されるように、ソフトウェア、ファームウェア、ハードウェア、および本明細書に説明される関連付けられた機能を実施するためのこれらの要素の任意の組み合わせを指す。加えて、議論の目的のために、種々のモジュールは、離散モジュールとして説明される。しかしながら、当業者に明白となるであろうように、２つ以上のモジュールが、組み合わせられ、本発明の実施形態に従って関連付けられた機能を実施する、単一モジュールを形成してもよい。
【００８０】
加えて、メモリまたは他の記憶装置および通信コンポーネントが、本発明の実施形態において採用されてもよい。明確にする目的のために、上記の説明は、異なる機能ユニットおよびプロセッサを参照して本発明の実施形態を説明していることを理解されたい。しかしながら、異なる機能ユニット、処理論理要素、またはドメイン間の機能性の任意の好適な分布が、本発明から逸脱することなく使用されてもよいことが明白であろう。例えば、別個の処理論理要素またはコントローラによって実施されるように例証される機能性は、同一処理論理要素またはコントローラによって実施されてもよい。故に、具体的機能ユニットの参照は、厳密な論理または物理構造または編成を示すのではなく、説明される機能性を提供するための好適な手段の参照にすぎない。
【００８１】
本開示に説明される実装の種々の修正が、当業者に容易に明白となり、本明細書に定義された一般的原理は、本開示の範囲から逸脱することなく、他の実装に適用されることができる。したがって、本開示は、本明細書に示される実装に限定されることを意図するものではなく、下記の請求項において列挙されるように、本明細書に開示される新規特徴および原理と一致する最広範囲と見なされるべきである。
【図１】
2020535735.tif 000002
【図２】
2020535735.tif 000003
【図３】
2020535735.tif 000004
【図４】
2020535735.tif 000005
【図５】
2020535735.tif 000006
【図６】
2020535735.tif 000007
【図７】
2020535735.tif 000008
【図８】
2020535735.tif 000009
【図９】
2020535735.tif 000010
【図１０】
2020535735.tif 000011
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
第１の無線通信ノードによって実施される方法であって、
第３の無線通信ノードを無線リソース制御非アクティブモードに切り替えることの決定に応じて、前記第１の無線通信ノードによって、第１のメッセージを第２の無線通信ノードに送信すること
を含み、
前記第１および第２の無線通信ノードは、協働し、無線ネットワーク内の第１の基地局としての役割を果たす、方法。
【請求項２】
前記第１の無線通信ノードは、前記第１の基地局の集中型ユニットであり、前記第２の無線通信ノードは、前記第１の基地局の分散型ユニットである、請求項１に記載の方法。
【請求項３】
前記第１のメッセージは、以下の情報、すなわち、
一時停止信号を含む第１のエンコードされたコンテナ、前記第２の無線通信ノード内に記憶された前記第３の無線通信ノードのコンテキストを削除することを示すフラグ信号、前記第２の無線通信ノードが前記第３の無線通信ノードに割り当てたセル無線ネットワーク一時識別子、前記第２の無線通信ノードが前記第３の無線通信ノードに割り当てた前記第１の無線通信ノードと第２の無線通信ノードとの間のＦ１インターフェース上の第１のアプリケーション識別子、前記第１の無線通信ノードが前記第３の無線通信ノードに割り当てた前記第１の無線通信ノードと第２の無線通信ノードとの間のＦ１インターフェース上の第２のアプリケーション識別子、およびシグナリング無線ベアラタイプ
のうちの少なくとも１つを含む、請求項１に記載の方法。
【請求項４】
前記第２の無線通信ノードは、前記第１のエンコードされたコンテナを前記第３の無線通信ノードに通過させ、前記第３の無線通信ノードが、それ自体を前記無線リソース制御非アクティブモードに切り替えるように、前記一時停止信号を前記第１のエンコードされたコンテナから読み出すように構成される、請求項３に記載の方法。
【請求項５】
前記第３の無線通信ノードが、前記無線リソース制御非アクティブモードに切り替わると、前記第１の無線通信ノードによって、前記第２の無線通信ノードから、前記第３の無線通信ノードが、前記第２の無線通信ノードに、個別のランダムアクセスネットワーク通知エリアを更新することを要求する無線リソース制御メッセージを送信したことを示す第２のメッセージを受信することをさらに含む、請求項１に記載の方法。
【請求項６】
前記第２のメッセージは、以下の情報、すなわち、
前記無線リソース制御メッセージを含む第２のエンコードされたコンテナ、前記第２の無線通信ノードが前記第３の無線通信ノードに割り当てたセル無線ネットワーク一時識別子、前記第２の無線通信ノードが前記第３の無線通信ノードに割り当てた前記第１の無線通信ノードと第２の無線通信ノードとの間のＦ１インターフェース上の第１のアプリケーション識別子、およびシグナリング無線ベアラタイプ
のうちの少なくとも１つを含む、請求項５に記載の方法。
【請求項７】
前記無線リソース制御信号を前記第２のエンコードされたコンテナから読み出すことと、
前記無線リソース制御信号を正常にデコードすることに応答して、第３のメッセージを前記第２の無線通信ノードに送信することと
をさらに含み、
前記第３のメッセージは、以下の情報、すなわち、
エリア更新確認応答無線リソース制御メッセージを含む第３のエンコードされたコンテナ、前記第２の無線通信ノードが前記第３の無線通信ノードに割り当てたセル無線ネットワーク一時識別子、前記第２の無線通信ノードが前記第３の無線通信ノードに割り当てた前記第１の無線通信ノードと第２の無線通信ノードとの間のＦ１インターフェース上の第１のアプリケーション識別子、前記第２の無線通信ノード内に記憶された前記第３の無線通信ノードのコンテキストを削除することを示すフラグ信号、および前記第１の無線通信ノードが前記第３の無線通信ノードに割り当てた前記第１の無線通信ノードと第２の無線通信ノードとの間のＦ１インターフェース上の第２のアプリケーション識別子
のうちの少なくとも１つを含む、請求項６に記載の方法。
【請求項８】
前記第２の無線通信ノードは、前記第３のエンコードされたコンテナを前記第３の無線通信ノードに通過させ、前記第３の無線通信ノードが、前記エリア更新確認応答無線リソース制御メッセージを前記第３のエンコードされたコンテナから読み出すように構成される、請求項７に記載の方法。
【請求項９】
前記無線リソース制御信号を正常にデコードしないとき、第４のメッセージを前記第２の無線通信ノードに送信すること
をさらに含み、
前記第４のメッセージは、以下の情報、すなわち、
無線リソース制御解放メッセージを含む第４のエンコードされたコンテナ、前記第２の無線通信ノードが前記第３の無線通信ノードに割り当てたセル無線ネットワーク一時識別子、前記第２の無線通信ノードが前記第３の無線通信ノードに割り当てた前記第１の無線通信ノードと第２の無線通信ノードとの間のＦ１インターフェース上の第１のアプリケーション識別子、前記第２の無線通信ノード内に記憶された前記第３の無線通信ノードのコンテキストを削除することを示すフラグ信号、および前記第１の無線通信ノードが前記第３の無線通信ノードに割り当てた前記第１の無線通信ノードと第２の無線通信ノードとの間のＦ１インターフェース上の第２のアプリケーション識別子
のうちの少なくとも１つを含む、請求項７に記載の方法。
【請求項１０】
前記第３の無線通信ノードが、前記無線リソース制御非アクティブモードに切り替わると、前記第１の無線通信ノードによって、ランダムアクセスネットワーク通知更新メッセージを第４の無線通信ノードから受信すること
をさらに含み、
前記ランダムアクセスネットワーク通知更新メッセージは、前記第３の無線通信によって第５の無線通信ノードに送信される個別のランダムアクセスネットワーク通知エリアを更新することを要求する無線リソース制御メッセージに基づいて生成され、
前記第４の無線通信ノードは、前記無線ネットワーク内にあるが、前記第１の基地局と異なる第２の基地局の集中型ユニットであり、前記第５の無線通信ノードは、前記第２の基地局の分散型ユニットである、請求項１に記載の方法。
【請求項１１】
前記ランダムアクセスネットワーク通知更新メッセージを正常に処理し、前記第１の無線通信ノードがコアネットワークへのアンカポイントとしての役割を果たしたままであることを決定することに応答して、第５のメッセージを前記第４の無線通信ノードに送信すること
をさらに含み、
前記第５のメッセージは、エリア更新確認応答無線リソース制御メッセージを含む、請求項１０に記載の方法。
【請求項１２】
前記ランダムアクセスネットワーク通知更新メッセージを正常に処理し、前記第４の無線通信ノードが、前記コアネットワークへのアンカポイントとしての役割を果たす前記第１の無線通信ノードに取って代わったことを決定することに応答して、第７のメッセージを前記第４の無線通信ノードに送信すること
をさらに含み、
前記第７のメッセージは、前記エリア更新確認応答無線リソース制御メッセージおよび前記第２の無線通信ノード内に記憶された前記第３の無線通信ノードのコンテキストを含む、請求項１１に記載の方法。
【請求項１３】
前記第３の無線通信ノードが、前記無線リソース制御非アクティブモードに切り替わると、コアネットワークのアクセスおよびモビリティ管理機能から、前記第３の無線通信ノードの場所の更新を要求するメッセージを受信することと、
前記第３の無線通信ノードの場所を前記コアネットワークのアクセスおよびモビリティ管理機能に送信することであって、前記第３の無線通信ノードの場所は、前記第３の無線通信ノードと関連付けられたセルグローバル識別子、追跡エリア識別子、およびランダムアクセスネットワーク通知エリア識別子のうちの少なくとも１つを含む、ことと
をさらに含む、請求項１に記載の方法。
【請求項１４】
請求項１−１３のいずれか１項に記載の方法を行うように構成される、コンピューティングデバイス。
【請求項１５】
非一過性コンピュータ可読媒体であって、前記非一過性コンピュータ可読媒体は、請求項１−１３のいずれか１項に記載の方法を行うためのその上に記憶されるコンピュータ実行可能命令を有する、非一過性コンピュータ可読媒体。
【手続補正２】
【補正対象書類名】明細書
【補正対象項目名】０００７
【補正方法】変更
【補正の内容】
【０００７】
別の実施形態では、第２の通信ノードによって実施される方法は、第１の無線通信ノードによって送信される第１のメッセージを受信するステップと、第１のメッセージ内に含まれる第１のエンコードされたコンテナを第３の無線通信ノードに通過させるステップを含み、第１のエンコードされたコンテナは、第３の無線通信ノードを無線リソース制御非アクティブモードに切り替えるように構成される。第１および第２の無線通信ノードは、協働し、無線ネットワーク内の第１の基地局としての役割を果たす。
（項目１）
第１の無線通信ノードによって実施される方法であって、
第３の無線通信ノードを無線リソース制御非アクティブモードに切り替えることの決定に応じて、上記第１の無線通信ノードによって、第１のメッセージを第２の無線通信ノードに送信すること
を含み、
上記第１および第２の無線通信ノードは、協働し、無線ネットワーク内の第１の基地局としての役割を果たす、方法。
（項目２）
上記第１の無線通信ノードは、上記第１の基地局の集中型ユニットであり、上記第２の無線通信ノードは、上記第１の基地局の分散型ユニットである、項目１に記載の方法。
（項目３）
上記第１のメッセージは、以下の情報、すなわち、
一時停止信号を含む第１のエンコードされたコンテナ、上記第２の無線通信ノード内に記憶された上記第３の無線通信ノードのコンテキストを削除することを示すフラグ信号、上記第２の無線通信ノードが上記第３の無線通信ノードに割り当てたセル無線ネットワーク一時識別子、上記第２の無線通信ノードが上記第３の無線通信ノードに割り当てた上記第１の無線通信ノードと第２の無線通信ノードとの間のＦ１インターフェース上の第１のアプリケーション識別子、上記第１の無線通信ノードが上記第３の無線通信ノードに割り当てた上記第１の無線通信ノードと第２の無線通信ノードとの間のＦ１インターフェース上の第２のアプリケーション識別子、およびシグナリング無線ベアラタイプ
のうちの少なくとも１つを含む、項目１に記載の方法。
（項目４）
上記第２の無線通信ノードは、上記第１のエンコードされたコンテナを上記第３の無線通信ノードに通過させ、上記第３の無線通信ノードが、それ自体を上記無線リソース制御非アクティブモードに切り替えるように、上記一時停止信号を上記第１のエンコードされたコンテナから読み出すように構成される、項目３に記載の方法。
（項目５）
上記第３の無線通信ノードが、上記無線リソース制御非アクティブモードに切り替わると、上記第１の無線通信ノードによって、上記第２の無線通信ノードから、上記第３の無線通信ノードが、上記第２の無線通信ノードに、個別のランダムアクセスネットワーク通知エリアを更新することを要求する無線リソース制御メッセージを送信したことを示す第２のメッセージを受信することをさらに含む、項目１に記載の方法。
（項目６）
上記第２のメッセージは、以下の情報、すなわち、
上記無線リソース制御メッセージを含む第２のエンコードされたコンテナ、上記第２の無線通信ノードが上記第３の無線通信ノードに割り当てたセル無線ネットワーク一時識別子、上記第２の無線通信ノードが上記第３の無線通信ノードに割り当てた上記第１の無線通信ノードと第２の無線通信ノードとの間のＦ１インターフェース上の第１のアプリケーション識別子、およびシグナリング無線ベアラタイプ
のうちの少なくとも１つを含む、項目５に記載の方法。
（項目７）
上記無線リソース制御信号を上記第２のエンコードされたコンテナから読み出すことと、
上記無線リソース制御信号を正常にデコードすることに応答して、第３のメッセージを上記第２の無線通信ノードに送信することと
をさらに含み、
上記第３のメッセージは、以下の情報、すなわち、
エリア更新確認応答無線リソース制御メッセージを含む第３のエンコードされたコンテナ、上記第２の無線通信ノードが上記第３の無線通信ノードに割り当てたセル無線ネットワーク一時識別子、上記第２の無線通信ノードが上記第３の無線通信ノードに割り当てた上記第１の無線通信ノードと第２の無線通信ノードとの間のＦ１インターフェース上の第１のアプリケーション識別子、上記第２の無線通信ノード内に記憶された上記第３の無線通信ノードのコンテキストを削除することを示すフラグ信号、および上記第１の無線通信ノードが上記第３の無線通信ノードに割り当てた上記第１の無線通信ノードと第２の無線通信ノードとの間のＦ１インターフェース上の第２のアプリケーション識別子
のうちの少なくとも１つを含む、項目６に記載の方法。
（項目８）
上記第２の無線通信ノードは、上記第３のエンコードされたコンテナを上記第３の無線通信ノードに通過させ、上記第３の無線通信ノードが、上記エリア更新確認応答無線リソース制御メッセージを上記第３のエンコードされたコンテナから読み出すように構成される、項目７に記載の方法。
（項目９）
上記無線リソース制御信号を正常にデコードしないとき、第４のメッセージを上記第２の無線通信ノードに送信すること
をさらに含み、
上記第４のメッセージは、以下の情報、すなわち、
無線リソース制御解放メッセージを含む第４のエンコードされたコンテナ、上記第２の無線通信ノードが上記第３の無線通信ノードに割り当てたセル無線ネットワーク一時識別子、上記第２の無線通信ノードが上記第３の無線通信ノードに割り当てた上記第１の無線通信ノードと第２の無線通信ノードとの間のＦ１インターフェース上の第１のアプリケーション識別子、上記第２の無線通信ノード内に記憶された上記第３の無線通信ノードのコンテキストを削除することを示すフラグ信号、および上記第１の無線通信ノードが上記第３の無線通信ノードに割り当てた上記第１の無線通信ノードと第２の無線通信ノードとの間のＦ１インターフェース上の第２のアプリケーション識別子
のうちの少なくとも１つを含む、項目７に記載の方法。
（項目１０）
上記第３の無線通信ノードが、上記無線リソース制御非アクティブモードに切り替わると、上記第１の無線通信ノードによって、ランダムアクセスネットワーク通知更新メッセージを第４の無線通信ノードから受信すること
をさらに含み、
上記ランダムアクセスネットワーク通知更新メッセージは、上記第３の無線通信によって第５の無線通信ノードに送信される個別のランダムアクセスネットワーク通知エリアを更新することを要求する無線リソース制御メッセージに基づいて生成され、
上記第４の無線通信ノードは、上記無線ネットワーク内にあるが、上記第１の基地局と異なる第２の基地局の集中型ユニットであり、上記第５の無線通信ノードは、上記第２の基地局の分散型ユニットである、項目１に記載の方法。
（項目１１）
上記ランダムアクセスネットワーク通知更新メッセージを正常に処理し、上記第１の無線通信ノードがコアネットワークへのアンカポイントとしての役割を果たしたままであることを決定することに応答して、第５のメッセージを上記第４の無線通信ノードに送信すること
をさらに含み、
上記第５のメッセージは、エリア更新確認応答無線リソース制御メッセージを含む、項目１０に記載の方法。
（項目１２）
上記第５のメッセージの受信に応答して、上記第４の無線通信ノードは、第６のメッセージを上記第５の無線通信ノードに送信し、
上記第６のメッセージは、以下の情報、すなわち、
上記エリア更新確認応答無線リソース制御メッセージを含む第５のエンコードされたコンテナ、上記第５の無線通信ノードが上記第３の無線通信ノードに割り当てたセル無線ネットワーク一時識別子、上記第５の無線通信ノードが上記第３の無線通信ノードに割り当てた上記第４の無線通信ノードと第５の無線通信ノードとの間のＦ１インターフェース上の第１のアプリケーション識別子、上記第４の無線通信ノードが上記第３の無線通信ノードに割り当てた上記第４の無線通信ノードと第５の無線通信ノードとの間のＦ１インターフェース上の第２のアプリケーション識別子、および上記第５の無線通信ノード内に記憶された上記第３の無線通信ノードのコンテキストを削除することを示すフラグ信号
のうちの少なくとも１つを含む、項目１１に記載の方法。
（項目１３）
上記ランダムアクセスネットワーク通知更新メッセージを正常に処理し、上記第４の無線通信ノードが、上記コアネットワークへのアンカポイントとしての役割を果たす上記第１の無線通信ノードに取って代わったことを決定することに応答して、第７のメッセージを上記第４の無線通信ノードに送信すること
をさらに含み、
上記第７のメッセージは、上記エリア更新確認応答無線リソース制御メッセージおよび上記第２の無線通信ノード内に記憶された上記第３の無線通信ノードのコンテキストを含む、項目１１に記載の方法。
（項目１４）
上記第７のメッセージの受信に応答して、上記第４の無線通信ノードは、第８のメッセージを上記第５の無線通信ノードに送信し、
上記第８のメッセージは、以下の情報、すなわち、
上記エリア更新確認応答無線リソース制御メッセージを含む第６のエンコードされたコンテナ、上記第５の無線通信ノードが上記第３の無線通信ノードに割り当てたセル無線ネットワーク一時識別子、上記第５の無線通信ノードが上記第３の無線通信ノードに割り当てた上記第４の無線通信ノードと第５の無線通信ノードとの間のＦ１インターフェース上の第１のアプリケーション識別子、上記第４の無線通信ノードが上記第３の無線通信ノードに割り当てた上記第４の無線通信ノードと第５の無線通信ノードとの間のＦ１インターフェース上の第２のアプリケーション識別子、および上記第５の無線通信ノード内に記憶された上記第３の無線通信ノードのコンテキストを削除することを示すフラグ信号
のうちの少なくとも１つを含む、項目１３に記載の方法。
（項目１５）
上記第３の無線通信ノードが、上記無線リソース制御非アクティブモードに切り替わると、コアネットワークのアクセスおよびモビリティ管理機能から、上記第３の無線通信ノードの場所の更新を要求するメッセージを受信することと、
上記第３の無線通信ノードの場所を上記コアネットワークのアクセスおよびモビリティ管理機能に送信することであって、上記第３の無線通信ノードの場所は、上記第３の無線通信ノードと関連付けられたセルグローバル識別子、追跡エリア識別子、およびランダムアクセスネットワーク通知エリア識別子のうちの少なくとも１つを含む、ことと
をさらに含む、項目１に記載の方法。
（項目１６）
項目１−１５のいずれか１項に記載の方法を行うように構成される、コンピューティングデバイス。
（項目１７）
非一過性コンピュータ可読媒体であって、上記非一過性コンピュータ可読媒体は、項目１−１５のいずれか１項を行うためのその上に記憶されるコンピュータ実行可能命令を有する、非一過性コンピュータ可読媒体。
（項目１８）
第２の無線通信ノードによって実施される方法であって、
第１の無線通信ノードによって送信される第１のメッセージを受信することと、
上記第１のメッセージ内に含まれる第１のエンコードされたコンテナを第３の無線通信ノードに通過させることであって、上記第１のエンコードされたコンテナは、上記第３の無線通信ノードを無線リソース制御非アクティブモードに切り替えるように構成される、ことと
を含み、
上記第１および第２の無線通信ノードは、協働し、無線ネットワーク内の第１の基地局としての役割を果たす、方法。
（項目１９）
上記第２の無線通信ノードは、上記基地局の分散型ユニットであり、上記第１の無線通信ノードは、上記基地局の集中型ユニットである、項目１８に記載の方法。
（項目２０）
上記第１のメッセージは、以下の情報、すなわち、
上記第１のエンコードされたコンテナ内の一時停止メッセージ、上記第２の無線通信ノード内に記憶される上記第３の無線通信ノードのコンテキストを削除することを示すフラグ信号、上記第２の無線通信ノードが上記第３の無線通信ノードに割り当てたセル無線ネットワーク一時識別子、上記第２の無線通信ノードが上記第３の無線通信ノードに割り当てた上記第１の無線通信ノードと第２の無線通信ノードとの間のＦ１インターフェース上の第１のアプリケーション識別子、上記第１の無線通信ノードが上記第３の無線通信ノードに割り当てた上記第１の無線通信ノードと第２の無線通信ノードとの間のＦ１インターフェース上の第２のアプリケーション識別子、およびシグナリング無線ベアラタイプ
のうちの少なくとも１つを含む、項目１８に記載の方法。
（項目２１）
上記第３の無線通信ノードは、それ自体を上記無線リソース制御非アクティブモードに切り替えるように、上記一時停止メッセージを上記第１のエンコードされたコンテナから読み出すように構成される、項目２０に記載の方法。
（項目２２）
上記第３の無線通信ノードが、上記無線リソース制御非アクティブモードに切り替わると、上記第２の無線通信ノードによって、上記第３の無線通信ノードから、個別のランダムアクセスネットワーク通知エリアの更新を要求する無線リソース制御メッセージを受信することと、
第２のメッセージを上記第１の無線通信ノードに送信することと
をさらに含み、
上記第２のメッセージは、以下の情報、すなわち、
上記無線リソース制御メッセージを含む第２のエンコードされたコンテナ、上記第２の無線通信ノードが上記第３の無線通信ノードに割り当てたセル無線ネットワーク一時識別子、上記第２の無線通信ノードが上記第３の無線通信ノードに割り当てた上記第１の無線通信ノードと第２の無線通信ノードとの間のＦ１インターフェース上の第１のアプリケーション識別子、およびシグナリング無線ベアラタイプ
のうちの少なくとも１つを含む、項目１８に記載の方法。
（項目２３）
上記第１の無線通信ノードが、上記第２のエンコードされたコンテナからの上記無線リソース制御メッセージを正常にデコードすると、第３のメッセージを上記第１の無線通信ノードから受信すること
をさらに含み、
上記第３のメッセージは、以下の情報、すなわち、
エリア更新確認応答無線リソース制御メッセージを含む第３のエンコードされたコンテナ、上記第２の無線通信ノードが上記第３の無線通信ノードに割り当てた上記セル無線ネットワーク一時識別子、上記第２の無線通信ノードが上記第３の無線通信ノードに割り当てた上記第１の無線通信ノードと第２の無線通信ノードとの間のＦ１インターフェース上の第１のアプリケーション識別子、上記第２の無線通信ノード内に記憶される上記第３の無線通信ノードのコンテキストを削除することを示すフラグ信号、および上記第１の無線通信ノードが上記第３の無線通信ノードに割り当てた上記第１の無線通信ノードと第２の無線通信ノードとの間のＦ１インターフェース上の第２のアプリケーション識別子
のうちの少なくとも１つを含む、項目２２に記載の方法。
（項目２４）
上記第２の無線通信ノードは、上記第３のエンコードされたコンテナを上記第３の無線通信ノードに通過させ、上記第３の無線通信ノードが、上記エリア更新確認応答無線リソース制御メッセージを上記第３のエンコードされたコンテナから読み出すように構成される、項目２３に記載の方法。
（項目２５）
項目１８−２４のいずれか１項に記載の方法を行うように構成される、コンピューティングデバイス。
（項目２６）
非一過性コンピュータ可読媒体であって、上記非一過性コンピュータ可読媒体は、項目１８−２４のいずれか１項に記載の方法を行うためのその上に記憶されるコンピュータ実行可能命令を有する、非一過性コンピュータ可読媒体。
【国際調査報告】
2020535735.tif 000012
2020535735.tif 000013